(57)【要約】【課題】体力低下等に伴い就寝中の寝返りが減少してしまうことを抑止する、寝返り阻害防止機能付き就寝環境装置の提供。【解決手段】掛け布団１３と、就寝面ＳＳ（ベッドや敷布団の上面）と掛け布団１３との間に空間部Ｓを形成し、掛け布団１３の少なくとも一部を就寝者から離す布団保持部１１と、空間部Ｓの温度調節を行う空間部温調装置１２と、を備えることにより、布団の重みによる寝返り動作の阻害を抑止し、冷たい空気の流入に基づく足を動かすことへの躊躇を軽減して寝返りを促進する。【選択図】図１
2017063814.tif 000002
【特許請求の範囲】
【請求項１】
就寝面と掛け布団との間に空間部を形成し、前記掛け布団の少なくとも一部を就寝者から離す布団保持部と、
前記空間部の温度調節を行う空間部温調装置と、を備えることを特徴とする寝返り阻害防止機能付き就寝環境装置。
【請求項２】
前記空間部温調装置が、温度調節部と送風部とを備え、前記温度調節部が前記掛け布団の範囲外に設けられ、当該温度調節部からの温風または冷風を、前記送風部によって前記空間部へ導入することを特徴とする請求項１に記載の寝返り阻害防止機能付き就寝環境装置。
【請求項３】
前記布団保持部をはね上げるためのはね上げ機構を備えることを特徴とする請求項１又は請求項２に記載の寝返り阻害防止機能付き就寝環境装置。
【請求項４】
前記掛け布団の裏地が、低摩擦素材によって形成されていることを特徴とする請求項１から請求項３の何れかに記載の寝返り阻害防止機能付き就寝環境装置。
【請求項５】
前記掛け布団が、前記空間部の上面となる空間上面部と、前記空間部の側面となる空間側面部と、を備えることにより、立体的な形状を有することを特徴とする請求項１から請求項４の何れかに記載の寝返り阻害防止機能付き就寝環境装置。
【請求項６】
前記空間上面部にバー挿通部が形成され、前記布団保持部が前記掛け布団を支持するバー部材を備え、当該バー部材が前記バー挿通部に挿通されることを特徴とする請求項５に記載の寝返り阻害防止機能付き就寝環境装置。
【請求項７】
前記空間部の高さが、６００ｍｍ以上であることを特徴とする請求項１から請求項６の何れかに記載の寝返り阻害防止機能付き就寝環境装置。
【請求項８】
前記バー部材が布団の脚元側から片持ち状に延設される部材であり、その長さが８００ｍｍ〜１０００ｍｍであることを特徴とする請求項６又は請求項７に記載の寝返り阻害防止機能付き就寝環境装置。
【請求項９】
前記布団保持部が２本の前記バー部材を備え、当該２本のバー部材の間隔が５００ｍｍ〜１０００ｍｍであることを特徴とする請求項８に記載の寝返り阻害防止機能付き就寝環境装置。
【請求項１０】
前記布団保持部に温度センサーが備えられ、前記空間部における前記温度センサーが備えられる位置とは反対側となる位置に、前記送風部の送風口が備えられることを特徴とする請求項２から請求項９の何れかに記載の寝返り阻害防止機能付き就寝環境装置。
【発明の詳細な説明】
【技術分野】
【０００１】
本発明は、体力低下等に伴い就寝中の寝返りが減少してしまうことを抑止する、寝返り阻害防止機能付き就寝環境装置に関する。
【背景技術】
【０００２】
病気、怪我などにより布団の重みが負担になる場合にこの負担を軽減するため、また、尖足防止のために、布団と身体の間に入れて布団の重みがかからないようにする枠（離被架）が使用される。
特許文献１にはこのような身体に布団の重みがかからないようにする装置に関連する技術が開示されている。
【先行技術文献】
【特許文献】
【０００３】
【特許文献１】実用新案登録第３１７６５４５号公報
【発明の概要】
【発明が解決しようとする課題】
【０００４】
高齢若しくは病気、怪我などによって身体機能や体力が低下傾向になることがあるが、これに伴い体を動かす頻度が低下すると、さらに身体機能や体力が低下するという悪循環に陥ってしまうおそれがある。
このような身体機能や体力の低下に伴う体を動かす頻度の低下が、寝返り動作の低下となって早期に現れることが考えられる。即ち、特に冬季における布団の重みにより、寝返り動作が阻害され、寝返りの回数が健常者に比べて著しく低下するものである。
また、冬季においては寝返りに伴い身体が布団の外に出てしまったり、布団内に冷たい空気が入ること等により寒いため、寝返りをためらい、寝返りの回数が著しく低下する場合がある。
このような寝返り動作の低下は、身体機能や体力の低下に拍車をかけるおそれがあるが、従来、このような問題意識そのものが存在せず、寝返りを促進させることを考慮した装置も存在しなかった。
【０００５】
本発明は、上記の点に鑑み、体力低下等に伴い就寝中の寝返りが減少してしまうことを抑止する、寝返り阻害防止機能付き就寝環境装置を提供することを目的とする。
【課題を解決するための手段】
【０００６】
（構成１）
就寝面と掛け布団との間に空間部を形成し、前記掛け布団の少なくとも一部を就寝者から離す布団保持部と、
前記空間部の温度調節を行う空間部温調装置と、を備えることを特徴とする寝返り阻害防止機能付き就寝環境装置。
【０００７】
（構成２）
前記空間部温調装置が、温度調節部と送風部とを備え、前記温度調節部が前記掛け布団の範囲外に設けられ、当該温度調節部からの温風または冷風を、前記送風部によって前記空間部へ導入することを特徴とする構成１に記載の寝返り阻害防止機能付き就寝環境装置。
【０００８】
（構成３）
前記布団保持部をはね上げるためのはね上げ機構を備えることを特徴とする構成１又は構成２に記載の寝返り阻害防止機能付き就寝環境装置。
【０００９】
（構成４）
前記掛け布団の裏地が、低摩擦素材によって形成されていることを特徴とする構成１から構成３の何れかに記載の寝返り阻害防止機能付き就寝環境装置。
【００１０】
（構成５）
前記掛け布団が、前記空間部の上面となる空間上面部と、前記空間部の側面となる空間側面部と、を備えることにより、立体的な形状を有することを特徴とする構成１から構成４の何れかに記載の寝返り阻害防止機能付き就寝環境装置。
【００１１】
（構成６）
前記空間上面部にバー挿通部が形成され、前記布団保持部が前記掛け布団を支持するバー部材を備え、当該バー部材が前記バー挿通部に挿通されることを特徴とする構成５に記載の寝返り阻害防止機能付き就寝環境装置。
【００１２】
（構成７）
前記空間部の高さが、６００ｍｍ以上であることを特徴とする構成１から構成６の何れかに記載の寝返り阻害防止機能付き就寝環境装置。
【００１３】
（構成８）
前記バー部材が布団の脚元側から片持ち状に延設される部材であり、その長さが８００ｍｍ〜１０００ｍｍであることを特徴とする構成６又は構成７に記載の寝返り阻害防止機能付き就寝環境装置。
【００１４】
（構成９）
前記布団保持部が２本の前記バー部材を備え、当該２本のバー部材の間隔が５００ｍｍ〜１０００ｍｍであることを特徴とする構成８に記載の寝返り阻害防止機能付き就寝環境装置。
【００１５】
（構成１０）
前記布団保持部に温度センサーが備えられ、前記空間部における前記温度センサーが備えられる位置とは反対側となる位置に、前記送風部の送風口が備えられることを特徴とする構成２から構成９の何れかに記載の寝返り阻害防止機能付き就寝環境装置。
【発明の効果】
【００１６】
本発明の寝返り阻害防止機能付き就寝環境装置によれば、布団保持部によって空間部が形成されることによって、布団の重みによる寝返り動作の阻害が抑止され、且つ、空間部温調装置によって空間部の温度を調節することができるため、寒さによる寝返りのためらいも解消することができる。
【図面の簡単な説明】
【００１７】
【図１】実施形態の寝返り阻害防止機能付き就寝環境装置の使用状態を示す側面図
【図２】実施形態の寝返り阻害防止機能付き就寝環境装置の使用状態を示す上面図
【図３】実施形態の寝返り阻害防止機能付き就寝環境装置の使用状態を示す脚元側の側面図
【図４】実施形態の寝返り阻害防止機能付き就寝環境装置の掛け布団を示す斜視図
【図５】実施形態の寝返り阻害防止機能付き就寝環境装置の使用状態を説明するための図であり、（ａ）・（ｂ）：側面図、（ｃ）：頭側の側面図
【図６】実施形態の寝返り阻害防止機能付き就寝環境装置の別の使用状態を説明するための図
【図７】実施形態の寝返り阻害防止機能付き就寝環境装置のはね上げ機構を説明するための図
【発明を実施するための形態】
【００１８】
以下、本発明の実施態様について、図面を参照しながら具体的に説明する。なお、以下の実施態様は、本発明を具体化する際の一形態であって、本発明をその範囲内に限定するものではない。
【００１９】
図１〜３は、本発明に係る寝返り阻害防止機能付き就寝環境装置の実施形態の使用状態を示す図である。
本実施形態の寝返り阻害防止機能付き就寝環境装置１は、ベッド２に対して使用し、就寝面ＳＳ（ベッドや敷布団の上面）と掛け布団１３との間に空間部Ｓを設けると共に、この空間部Ｓの温度調節（本実施形態では暖房）を行うものである。
寝返り阻害防止機能付き就寝環境装置１は、掛け布団１３と、就寝面ＳＳと掛け布団１３との間に空間部Ｓを形成し、掛け布団１３の少なくとも一部を就寝者から離す布団保持部１１と、布団保持部１１を支持する脚部１５と、空間部Ｓの温度調節を行う空間部温調装置１２と、布団保持部１１をはね上げるためのはね上げ機構１４と、等を備える。
【００２０】
布団保持部１１は、図１、２に示されるように、脚元側から片持ち状に延設される一対のバー部材１１１と、この２本のバー部材１１１を連結する横梁材１１２と、を備える。後に説明するように、２本のバー部材１１１によって掛け布団１３の脚元側を持ちあげて保持するものである。これによって、就寝面ＳＳと掛け布団１３との間に空間部Ｓを形成し、特に就寝者の下半身において、就寝者の動きをフリーにさせる。
バー部材１１１の一方の先端部には、温度センサー１２１１が配される。また、図３に示されるように、横梁材１１２の上部には取手１１３が設けられる。
【００２１】
空間部温調装置１２は、図１、２に示されるように、温度調節部である温風機１２１と送風部１２２とを備える。空間部温調装置１２は前述の布団保持部１１の横梁材１１２に取り付けられ、温風機１２１は、掛け布団１３の範囲外に設けられる。送風部１２２は、温風機１２１からの温風を空間部Ｓへ導入するものであり、掛け布団１３に設けられた孔１３３（図４（ａ））に挿通されて、送風口が空間部Ｓ内に配される。
温風機１２１は、前述の温度センサー１２１１と接続されており、温度制御において、温度センサー１２１１からの信号（測定値）に基づいたフィードバック制御を行う。
【００２２】
掛け布団１３は、図４（ａ）に示されるように、立体的に縫製され、上面となる空間上面部１３４と、側面となる空間側面部１３５と、を備える。
空間上面部１３４には、袋状に縫製されるバー挿通部１３１が２つ形成され、脚元側の端部において、取手締結片１３２が２つ設けられる。また、空間上面部１３４の脚元側に、送風部１２２の送風口が挿通される孔１３３が形成される。
図４（ｂ）に示されるように、２つのバー挿通部１３１のそれぞれに布団保持部１１の２本のバー部材１１１が挿通され、取手１１３に対して取手締結片１３２が締結されることで、掛け布団１３が、布団保持部１１によって支持される。なお、取手締結片１３２はマジックテープ（登録商標）等によって、取手１１３に対して巻き付けて取り付けられる。
取手締結片１３２によって掛け布団１３が係止されるため、就寝者の寝返り等に伴って掛け布団１３がズレてしまったり、バー部材１１１から抜けてしまうといったことが抑止される。
また、本実施形態の掛け布団１３は、裏地（就寝者に触れる面）がシルク、サテン等の低摩擦素材によって形成される。なお、本願における低摩擦素材とは、木綿、化繊（ポリエステル）、羊毛等より摩擦が小さい（滑りやすい）素材をいう。
【００２３】
脚部１５は、布団保持部１１等を支持するものであり、基本的にパイプ材を組み合わせることで形成される。図１、図３に示されるように、脚部１５は、キャスターが取り付けられるベース部１５１と、このベース部１５１に取り付けられる下部支柱１５２と、下部支柱１５２に対して上下位置を調節可能に取り付けられる上部支柱１５３と、この上部支柱１５３を連結する上部横梁材１５４と、を備える。
【００２４】
はね上げ機構１４は、布団保持部１１をはね上げるためのものであり、図３、７に示されるように、両サイドの上部支柱１５３に取り付けられる２本のスライドレール１４１と、この２本のスライドレール１４１を跨ぐように保持され、上下に動くスライダー１４２と、スライダー１４２とバー部材１１１の後端側を接続するリンク１４３と、布団保持部１１の横梁材１１２と脚部１５の上部横梁材１５４との間に設けられる蝶番１４５と、上部横梁材１５４とスライダー１４２との間に設けられるガススプリング１４４とで構成される。
ガススプリング１４４によって、布団保持部１１が跳ね上がる（蝶番１４５が開く）方向へ常に付勢されており、図示しないロック機構によって図１の閉じた状態が維持されるものである（車のトランクと同様の原理）。ボタン操作等によりこのロック機構のロックを解除すると、図６に示されるように布団保持部１１が跳ね上がる。具体的には、図７に示されるように、ロック解除により、ガススプリング１４４がスライダー１４２を押し下げ、これに伴いスライダー１４２に接続されたリンク１４３が下げられることでバー部材１１１の後端側が下げられることにより、蝶番１４５を介してバー部材１１１（布団保持部１１）が跳ね上がるものである。
このような構成により、簡便に掛け布団を上げたり掛けたりすることができ、ベッドへの乗り降り、シーツの交換、マットレス、布団の乾燥などをスムーズに行うことができる。
【００２５】
本実施形態の寝返り阻害防止機能付き就寝環境装置１によれば、空間部Ｓが形成されることにより、特に下半身の動きが自由になり、掛け布団の重みによる脚の動かし難さが解消されるため、寝返りが促進され、身体の機能低下を防ぐことが可能となる。
また、空間部Ｓがあることで、寝返りの動作が掛け布団に伝わることが抑止されるため、脚を動かすこと等によって掛け布団の端が持ち上がってしまうことによる冷たい空気の流入が軽減される。且つ、温風機１２１により空間部Ｓを温めることができるため、足を動かすことへの躊躇を軽減させ、寝返りを促進し、身体の機能低下を防ぐことが可能となる。
【００２６】
本実施形態によれば、送風部１２２を介して温風を空間部Ｓへ導入することで、温風機１２１を掛け布団１３の範囲外となる位置に配しているため、就寝者から活電部を離すことができ、感電の危険性が大幅に低減される。
【００２７】
本実施形態によれば、掛け布団１３が立体的に縫製されているため、寝返りを打った時に生じる隙間を減らすことができる。
また、掛け布団１３の裏地（就寝者に触れる面）に低摩擦素材が用いられるため、寝返り動作に対する抵抗をさらに低減することができると共に、寝返りを打った時に体につられて掛け布団がずれることが抑止される。
加えて、布団保持部１１のバー部材１１１は、掛け布団１３の上面側に設けられる袋状のバー挿通部１３１に挿通されるものであるため、バー部材１１１が布団で覆われ、脚をぶつけても痛くない。
【００２８】
本実施形態によれば、送風部１２２の送風口が掛け布団１３の脚元側に配され、これとは反対側となる位置（バー部材１１１の先端）に温度センサー１２１１が配される。
温風が吹き出す送風口の近くに温度センサー１２１１があると、フィードバック制御が過剰となり、温度制御が不安定となるおそれがあるが、本実施形態によれば、これが可及的に低減される。
【００２９】
以上のごとく、本実施形態の寝返り阻害防止機能付き就寝環境装置１によれば、布団の重みによる寝返り動作の阻害が抑止されるという効果が得られるものであるが、空間部Ｓを適切なサイズとすることにより、より効果的に寝返り動作の阻害を抑止することができる。
【００３０】
図５（ａ）に示したように、膝を立てた状態で、膝が掛け布団１３に当たらないようにすると、就寝者の下半身の動きがフリーとなるため、より効果的に寝返り動作の阻害を抑止することができる。
この観点から、空間部Ｓの高さＨ（就寝面ＳＳと掛け布団１３との間）を６００ｍｍ以上とすることが好ましい。
また、図５（ａ）、（ｂ）に示されるように、膝を伸ばした状態でも、曲げた状態でも掛け布団１３が下半身に接することが低減されるように、且つ、上半身を起こした時にバー部材１１１等が身体に当たらないように、バー部材１１１の長さＬ（ベッド２の後端面からバー部材１１１の先端までの長さ）を８００ｍｍ〜１０００ｍｍとすることが好ましい。
さらに、図５（ｃ）に示されるように、左右に寝返りを打っても、掛け布団１３と接することが抑止されるように空間を確保するため、バー部材１１１の設置幅Ｗを５００ｍｍ〜１０００ｍｍとすることが好ましい。
【００３１】
上記のように、バー部材１１１の寸法やベッド２に対する相対位置を適正化することによって、より効果的に寝返り動作の阻害を抑止することができる。
【００３２】
本実施形態では、温度調節部の一例として温風機を用いるものを例としたが、夏季用に冷風機を用いるようにしてもよい。空間部Ｓという狭い空間を冷やすだけでよいので、節電効果を得ることが可能である。冷房、暖房の何れも可能な冷暖房機を用いるものであっても勿論よい。
なお、送風部として、バー部材１１１を利用するものであってもよい。即ち、パイプ材であるバー部材１１１に適宜送風口を穿設し、温風機からの風をバー部材１１１の内部に導入する構成とすることで、バー部材１１１に穿設された送風口から温風が流出する構成としてもよい。なお、この場合、温度センサー１２１１をバー部材１１１に設けると上述のごとく温度制御が不安定となるおそれがあるため、温度センサーは別途設けるようにすることが好ましい。
【００３３】
本実施形態では、ベッド２に対して使用する寝返り阻害防止機能付き就寝環境装置１を例として説明したが、脚部１５の構成を敷布団用とすることで、敷布団に対しても用いることができる。敷布団用の脚部１５の一例としては、ベース部１５１を敷布団の下に設置する板状体等とし、このベース部に取り付ける支柱の高さを低くするもの等である。
【符号の説明】
【００３４】
１．．．寝返り阻害防止機能付き就寝環境装置
１１．．．布団保持部
１１１．．．バー部材
１２．．．空間部温調装置
１２１．．．温風機（温度調節部）
１２１１．．．温度センサー
１２２．．．送風部
１３．．．掛け布団
１３１．．．バー挿通部
１３４．．．空間上面部
１３５．．．空間側面部
１４．．．はね上げ機構
２．．．ベッド
Ｓ．．．空間部
ＳＳ．．．就寝面
【図１】
2017063814.tif 000003
【図２】
2017063814.tif 000004
【図３】
2017063814.tif 000005
【図４】
2017063814.tif 000006
【図５】
2017063814.tif 000007
【図６】
2017063814.tif 000008
【図７】
2017063814.tif 000009